(57)【要約】【課題】ＧＰＳとしての性能を確保することができるアクセサリを提供する。【解決手段】カメラに装着可能なアクセサリであって、前記カメラに装着した際に、撮影レンズの光軸方向と直交する面内でアクセサリ本体に対して回動する回動部と、前記回動部に設けられ、衛星から発信される信号に基づき自己位置を測定する測位部とを備えることを備える。【選択図】図１
2011027826.tif 000002
【特許請求の範囲】
【請求項１】
カメラに装着可能なアクセサリであって、
前記カメラに装着した際に、撮影レンズの光軸方向と直交する面内でアクセサリ本体に対して回動する回動部と、
前記回動部に設けられ、衛星から発信される信号に基づき自己位置を測定する測位部と
を備えることを特徴とするアクセサリ。
【請求項２】
前記回動部は、前記信号を受信するアンテナを更に備えることを特徴とする請求項１に記載のアクセサリ。
【請求項３】
前記回動部は、前記カメラの正面の方位を計測する方位計測部と、
水平面に対する前記アンテナの傾斜を計測する傾斜計測部と
を更に備えることを特徴とする請求項１または２に記載のアクセサリ。
【請求項４】
前記カメラに装着するための取付部を備え、
前記取付部を介して前記カメラとの間で通信可能であることを特徴とする請求項１〜３の何れか一項に記載のアクセサリ。
【請求項５】
前記測位部において自己位置を測定できない場合には、前記カメラの液晶表示部において警告を表示するために、前記取付部を介して制御信号の送信を行うことを特徴とする請求項１〜４の何れか一項に記載のアクセサリ。
【請求項６】
前記回動部は三脚取付部と、前記三脚取付部が設けられている位置と反対側の位置に設けられた前記アンテナを備えることを特徴とする請求項１〜５の何れか一項に記載のアクセサリ。
【請求項７】
前記回動部は被写体を照明する照明装置を備えることを特徴とする請求項１〜５の何れか一項に記載のアクセサリ。
【発明の詳細な説明】
【技術分野】
【０００１】
本発明はアクセサリに関するものである。
【背景技術】
【０００２】
カメラのホットシューに取り付けて使用するＧＰＳ（位置測位システム）を備えたアクセサリが知られている（例えば、特許文献１参照）。
【先行技術文献】
【特許文献】
【０００３】
【特許文献１】特開２００６−１５４２７８号公報
【発明の概要】
【発明が解決しようとする課題】
【０００４】
しかし、このアクセサリにおいては、カメラの使用時に、ＧＰＳアンテナが様々な方向に傾くことがあり、ＧＰＳによる測位精度が低下するという問題があった。
【０００５】
本発明の目的は、ＧＰＳとしての性能を確保することができるアクセサリを提供することである。
【課題を解決するための手段】
【０００６】
本発明のアクセサリは、カメラに装着可能なアクセサリであって、前記カメラに装着した際に、撮影レンズの光軸方向と直交する面内でアクセサリ本体に対して回動する回動部と、前記回動部に設けられ、衛星から発信される信号に基づき自己位置を測定する測位部とを備えることを特徴とする。
【発明の効果】
【０００７】
本発明のアクセサリによれば、ＧＰＳとしての性能を確保することができる。
【図面の簡単な説明】
【０００８】
【図１】実施の形態に係る撮影レンズをカメラに取り付けた状態を示す斜視図である。
【図２】実施の形態に係る三脚座におけるセンサの取り付け位置を示す断面図である。
【図３】実施の形態に係るカメラにより縦位置で撮影を行う状態を示す斜視図である。
【図４】実施の形態に係る撮影レンズをカメラに取り付けた状態におけるブロック図である。
【図５】実施の形態に係る撮影レンズにおける処理を示すフローチャートである。
【発明を実施するための形態】
【０００９】
以下、図面を参照して本発明の実施の形態に係るカメラのアクセサリである撮影レンズについて説明する。図１は、実施の形態に係る撮影レンズをカメラに取り付けた状態を示す斜視図である。カメラ２はカメラ本体４に対して撮影レンズ６を脱着することができるカメラである。カメラ本体４の筐体の上面には、電源スイッチ８、レリーズ指示を行うレリーズボタン１０が設けられている。また、撮影レンズ６の鏡筒には、撮影レンズ６に三脚を取り付けるための三脚座１２が装着されている。三脚座１２はアルミニウム、マグネシウム等の金属で構成された部材であり、撮影レンズ６の鏡筒を保持する環状部１３と三脚に取り付ける三脚取付部１４により構成されている。三脚座１２の環状部１３は、撮影レンズ６の鏡筒の外周に沿って回動させることができる。また、環状部１３の三脚取付部１４が設けられている位置と反対側の位置に後述するＧＰＳアンテナ２０が内蔵されており、このＧＰＳアンテナ２０はＧＰＳアンテナカバー１６により覆われている。ここで、ＧＰＳアンテナカバー１６は、ＧＰＳアンテナ２０の受信精度を確保し、外部からの衝撃等からの保護を図るため、導電性を有しないプラスチックから構成されている。
【００１０】
図２は、実施の形態に係る撮影レンズ６に装着された三脚座１２に配置されたセンサ等の取り付け位置を示す断面図である。三脚座１２の環状部１３には、その内周壁に沿ってフレキシブルプリント基板２６が配置されている。フレキシブルプリント基板２６には、三脚取付部１４の反対側の位置に設けられＧＰＳ衛星からの信号を受信するためのＧＰＳアンテナ２０が接続されている。また、フレキシブルプリント基板２６には、撮影レンズ６の光軸を中心にＧＰＳアンテナ２０の位置から略９０度の位置にそれぞれ備えられ、撮影レンズ６の先端の方向の方位を計測する方位センサ２２、水平面に対するＧＰＳアンテナ２０の傾斜を計測する加速度センサ２４が接続されている。
【００１１】
従って、三脚座１２に三脚を取り付ける場合には、三脚取付部１４を地面側に位置させるためＧＰＳアンテナ２０が天空方向（図中の矢印方向）を指向することになり、ＧＰＳアンテナ２０により良好にＧＰＳ衛星からの信号を受信することができる。
【００１２】
図３は、実施の形態に係るカメラにより縦位置で撮影を行う状態を示す斜視図である。カメラを横位置から縦位置に変更して撮影を行う場合には、三脚座１２の環状部１３を撮影レンズ６の鏡筒の外周に沿って回動させることにより、ＧＰＳアンテナ２０を天空方向（図中の矢印方向）に指向させた状態にすることができる。従って、ＧＰＳアンテナ２０により良好にＧＰＳ衛星からの信号を受信することができる。
【００１３】
図４は、実施の形態に係る撮影レンズ６をカメラ本体４に取り付けた状態におけるブロック図である。カメラ２はカメラ本体４と撮影レンズ６とからなり、撮影レンズ６はＣＰＵ３０を備えている。ＣＰＵ３０には、ＧＰＳアンテナ２０を介してＧＰＳ衛星から受信した信号に基づいて自己位置を測位するＧＰＳ２８、方位センサ２２、加速度センサ２４、ＧＰＳ２８により測位された位置情報や方位センサ２２により計測された方位情報を記憶する記憶部３２が接続されている。
【００１４】
次に、図５のフローチャートを参照して、実施の形態に係る撮影レンズ６の動作について説明する。撮影レンズ６をカメラ本体４に取り付けた状態において、ＣＰＵ３０はカメラの電源がオンであることを認識すると（ステップＳ１００）、ＧＰＳ２８に対して測位開始の指示を行う。一方、カメラの電源がオフされたことを認識すると、最後に取得した位置情報及び方位情報を記憶部３２に記憶する（ステップＳ１０２）。
【００１５】
ＧＰＳ２８は、ＧＰＳアンテナ２０により受信した信号に基づいて自己位置の測位を行う（ステップＳ１０４）。ここで、自己位置を測位できた場合には（ステップＳ１０４、Ｙｅｓ）、ＣＰＵ３０はＧＰＳ２８から位置情報を取得し、方位センサ２２から計測された方位情報を取得する（ステップＳ１０６）。次に、取得した位置情報及び方位情報をカメラ本体４に出力する（ステップＳ１２０）。
【００１６】
一方、自己位置を測位できなかった場合には（ステップＳ１０４、Ｎｏ）、ＣＰＵ３０は加速度センサ２４によりＧＰＳアンテナ２０の傾きを検出し、ＧＰＳアンテナ２０が天空方向を指向しているか否かを判定する（ステップＳ１０８）。ここで、ＧＰＳアンテナ２０が天空方向を指向しており、ＧＰＳ衛星から信号を受信できると判定された場合には、再度測位が行われる（ステップＳ１０４）。
【００１７】
一方、ＧＰＳアンテナ２０が天空方向を指向していないと判定された場合には、ＣＰＵ３０はカメラ本体４に対して、ＬＣＤ表示部において「ＧＰＳアンテナを正しい向きに設定してください。」等アンテナの方向を修正するように促す警告の表示を行わせるための制御信号を送信する（ステップＳ１０９）。その後、ＧＰＳアンテナ２０の傾きが修正されたことによりＧＰＳアンテナ２０が天空方向を指向していると判定された場合には（ステップＳ１１０）、再度測位が行われる（ステップＳ１０４）。
【００１８】
一方、ＧＰＳアンテナ２０の傾きが修正されず、ＧＰＳアンテナ２０が天空方向を指向していないと判定された場合には、ＬＣＤ表示部において警告の表示を行うための制御信号の出力を維持したままの状態で（ステップＳ１１２）、予め設定されているモードの判定が行われる（ステップＳ１１４）。ここで、モードとしては、前回の位置情報を維持し、方位センサ２２において計測した方位情報を取得するＡモード（ステップＳ１１６）、または方位センサ２２において計測した方位情報のみを取得するＢモード（ステップＳ１１８）が予め設定されている。なおＡモードは、移動しながら測位を行っていたが、途中で屋内に入ってしまったため信号が受信できず、測位が中断された場合等に有効である。このような場合、Ａモードが設定されていれば、屋内に入る前の位置情報と大差のない位置情報を用いることができる。またＢモードは、移動しながら測位を行っていたが、途中で地下鉄に乗ってしまったため信号が受信できず、測位が中断された場合等に有効である。このような場合、Ｂモードが設定されていれば、現在位置と大きく異なる乗車前の位置情報を無視し、方向情報のみを継続して取得することができる。
【００１９】
次に、Ａモードをにより取得した方位情報及び前回の位置情報、またはＢモードにより取得した方位情報をカメラ本体４に出力する（ステップＳ１２０）。
【００２０】
この実施の形態に係る撮影レンズによれば、ＧＰＳアンテナを常に天空方向に指向させることができることから、確実にＧＰＳによる測位を行うことができ、ＧＰＳとしての性能を確保することができる。
【００２１】
また、撮影レンズ６側にＧＰＳ２８等を備えることにより、カメラ本体４に生じるノイズの影響を低下させることができるため、確実にＧＰＳによる測位を行うことができる。
【００２２】
また、自己位置を測位ができなかった場合には操作者にアンテナの方向を修正するように警告を促すことで、正確な位置情報を記録することができる。
【００２３】
なお、上述の実施の形態において、三脚座１２を撮影レンズ６から取り外すことができるようにしてもよい。これにより、三脚座１２を他の交換レンズに取り付けて使用することができる。
【００２４】
また、上述の実施の形態において、カメラのアクセサリとして撮影レンズ６について説明したがストロボ装置に本発明を適用してもよい。この場合において、ストロボ装置はストロボ装置本体と発光部とから構成され、ストロボ装置本体はカメラのホットシューに取り付けられる。発光部にはＧＰＳアンテナ２０、方位センサ２２、加速度センサ２４等が内蔵され、ストロボ装置の正面方向と直交する面内においてストロボ装置本体の周囲を回動させることによりＧＰＳアンテナ２０の指向する方向を変化させることができる。これにより、カメラを横位置にして撮影を行う場合でも、縦位置にして撮影を行う場合でも、ＧＰＳアンテナ２０が天空方向を指向した状態を維持することができる。
【００２５】
また、上述の実施の形態において、三脚座内部またはストロボの発光部に電池を収納する電池室を備えていてもよい。これにより、カメラが電源オフになった場合や、レンズまたはストロボの取り外しによりカメラからの電力供給が絶たれた場合でも、アクセサリにおいて位置情報の記憶を維持することができる。
【００２６】
また、上述の実施の形態においては、撮影レンズ６のＣＰＵ３０において、位置情報及び方位情報の演算処理を行っているが、カメラ２のＣＰＵにより位置情報及び方位情報の演算処理を行うようにしてもよい。
【符号の説明】
【００２７】
２…カメラ、４…カメラ本体、６…撮影レンズ、８…電源スイッチ、１０…レリーズボタン、１２…三脚座、１４…三脚取付部、１６…ＧＰＳアンテナカバー。
【図１】
2011027826.tif 000003
【図２】
2011027826.tif 000004
【図３】
2011027826.tif 000005
【図４】
2011027826.tif 000006
【図５】
2011027826.tif 000007